(57)【要約】【課題】本発明は、光学記憶媒体のためのスキャナ（１）用のアクチュエータ（２）、及び該アクチュエータを用いた、光学記憶媒体から読み出し及び／又は該媒体へ書き込みを行う装置に関する。【解決手段】本発明は、対物レンズ（７）を保持するレンズホルダ（３）と、フォーカシング制御及びトラッキングの制御を行うプリントコイル（５、６）とを備える光スキャナ（１）用のアクチュエータ（２）を提案する。６個のプリントコイル（５、６）が、レンズホルダ（３）の二つの反対の面にそれぞれに配置され、１６個の磁極を有する関連するマグネット（４）と相互に作用する。【選択図】図６
2008523532.tif 000002
【特許請求の範囲】
【請求項１】
対物レンズを保持するレンズホルダと、
フォーカシング制御及びトラッキング制御を行うプリントコイルとを有し、前記プリントコイルが前記レンズホルダの二つの向かい合う面それぞれに配置され、関連するマグネットと相互に作用する光スキャナ用のアクチュエータにおいて、
６個のプリントコイルが、前記レンズホルダの前記二つの面のそれぞれに配置され、
前記マグネットの各々が１６個の磁極を有することを特徴とするアクチュエータ。
【請求項２】
フォーカシング制御のための４個のプリントコイルと、トラッキング制御のための２個のプリントコイルが、前記レンズホルダの二つの面のそれぞれに配置されることを特徴とする請求項１に記載のアクチュエータ。
【請求項３】
フォーカシング制御のための前記プリントコイルは、前記レンズホルダの傾斜制御にも使用されることを特徴とする請求項２に記載のアクチュエータ。
【請求項４】
前記マグネットの磁極ピッチが、トラッキング制御のために提供されたプリントコイルに対して、少なくとも一部で、斜めであることを特徴とする請求項１から３のいずれか一項に記載のアクチュエータ。
【請求項５】
前記マグネットが、それぞれ二つ以上の部分からなり、該部分が相互に接着されることを特徴とする請求項１から４のいずれか一項に記載のアクチュエータ。
【請求項６】
光学記憶媒体から読み出し及び／又は前記媒体に書き込みを行う装置において、請求項１から５のいずれか一項に記載のアクチュエータを備える光スキャナが使用されることを特徴とする装置。
【発明の詳細な説明】
【技術分野】
【０００１】
本発明は、光学記憶媒体のスキャナ用のアクチュエータ、及び、該アクチュエータを使用して、光学記憶媒体から読み出し及び／又は該媒体へ書き込みを行う装置に関する。
【背景技術】
【０００２】
光学記憶媒体から読み出し及び／又は該媒体へ書き込みを行う光ビームを光学記憶媒体の情報層にフォーカスするため、光スキャナ用のアクチュエータは、一般に永久磁石と連係して、巻きコイルを使用する。この場合アクチュエータは、トラッキングと、焦点のフォーカシングとの両方を、光学記憶媒体の情報層のデータトラックに関して制御する。
【０００３】
巻きコイルの代わりにプリントコイルも、アクチュエータに使用される。これはプリントされた銅トラックを備えるプリント回路であり、つまり、銅トラックがマグネットに対して平行に走る。基本的に、この原理は、巻きコイルと同じように動作する。プリントコイルの利点は、アクチュエータを組み立てるための単純な工程、巻線機が不要なこと、及び小さな第二アクチュエータ共振である。しかし、従来のコイルは、ワイヤの厚さ及び巻き線の数という点で、はるかに調整可能である。プリントコイルの場合、プリント回路のプリントが可能なエリアは制限され、それに、個々のトラック間の間隔は、特定の値未満であってはならない。トラック数は、こうして制限される。従って、巻コイルは、プリントコイルより高いアクチュエータ感度を可能にする。
【発明の開示】
【発明が解決しようとする課題】
【０００４】
本発明の目的の一つは、プリントコイルを使用し、同時により感度の良い光スキャナ用のアクチュエータを提案することである。
【課題を解決するための手段】
【０００５】
本発明によると、この目的は、対物レンズを保持するレンズホルダと、フォーカシング制御及びトラッキング制御を行うプリントコイルとを有し、６個のプリントコイルがレンズホルダの二つの向かい合う面にそれぞれに配置され、それぞれ１６個の磁極を有し関連する前記マグネットと相互に作用するプリントコイルとを備える光スキャナ用のアクチュエータにより実現される。
【０００６】
特定の磁化により、レンズホルダのより大きなエリアをプリントコイルの構成に使用することが可能である。一つのマグネットが、レンズホルダの二つの向かい合う面にそれぞれに取り付けられ、１６個の磁極で磁化される。代わりに、２個又はそれ以上のマグネットがあり、それぞれ対応して磁化され、接着されても良い。１６個の磁極の使用及びマグネットの適切な形状により、６個のプリントコイルをレンズホルダの二つの向かい合う面それぞれに配置可能である。このことにより、従来のプリントコイルを備えるアクチュエータと比べて、２０−３０％感度が向上する。
【０００７】
好ましくは、フォーカシング制御のための４個のプリントコイルと、トラッキング制御のための２個のプリントコイルが、レンズホルダの二つの面それぞれに使用される。フォーカシングコイルは、コイルを通る電流を適切に選択することにより、オプションとして傾斜機能にも使用可能である。
【０００８】
好ましくは、マグネットの磁極ピッチは、トラッキング制御のために提供されたプリントコイルに対して、少なくとも一部で、斜めである。これにより、フォーカシングコイルの側に配置されたトラッキングコイルへの、フォーカシングコイル用のマグネットの悪影響は、低減され、１６個の磁極の磁化を最適化できる。これにより、感度のロスを可能な限り少なくすることができる。
【０００９】
本発明によるアクチュエータは、好ましくは光学記憶媒体から読み出し及び／又は該媒体へ書き込みを行う装置に使用される。
【００１０】
理解に役立つように、本発明は、図１から図１０の図面を参考にして、以下で説明される。各ケースにおける同一の参照シンボルは、同一の素子を示す。
【発明を実施するための最良の形態】
【００１１】
図１は、対物レンズ７の縦及び横の動きにより、フォーカシング制御及びトラッキング制御をする本発明によるアクチュエータ２を使用する、光学記憶媒体用のスキャナ１を示す。図では、アクチュエータ２は、カバー８により、部分的に隠されている。カバー８を取り外した後の光スキャナ１を図２で示す。図に示すように、アクチュエータ２は対物レンズ７を保持するレンズホルダ３と、レンズホルダ３の側面に配置され、フォーカシング制御及びトラッキング制御のための関連するプリントコイル５、６（図２では図示なし）と相互に作用する２個のマグネット４とを有する。図３は、異なる視点からの光スキャナ１の図を示す。光スキャナ１の更なる素子は、当業者によく知られており、ここではこれ以上詳細に説明されない。
【００１２】
図４は、プリントコイル５、６を備えるレンズホルダ３、つまり、マグネット４なしのアクチュエータ２を示す。プリントコイル５、６はそれぞれ、フォーカシング制御のための４個のプリントコイル５と、トラッキング制御のための２個のプリントコイル６とを含む。示されている矢印は、プリントコイル５、６内の電流フローを示す。この状況でマグネット４の磁化が、図５及び図６で描かれている場合、結果として、「右手の法則」に従って、アクチュエータ２が動かされる。図５及び図６の各ケースで８個の磁極のみが、示される。関連する反対の極は、マグネット４の後面に配置される。フォーカシングコイル５は、コイルを流れる電流を適切に選択することにより、傾斜機能にもオプションとして使用可能である。
【００１３】
図７は、実際にトラッキング制御及びフォーカシング制御に関係するプリントコイル５、６のコンポーネントを示す。斜線部分のみが、レンズホルダ３の動きに貢献する。残りのコンポーネントは、使用されないままである。
【００１４】
図８は、傾斜した磁極ピッチに関係する説明を提供する。傾斜した磁極ピッチは、１６極の磁化の最適化を表す。ストレート（垂直）な磁極ピッチに対して、この実施形態の利点の一つは、フォーカシングコイルの横に配置されたトラッキングコイル６への、フォーカシングコイル５のためのマグネットの悪影響が低減されることである。磁化の適切な分極が、所望の動作に必要である。反対の磁極が作動すると、それにより自動的に感度ロスとなる。ストレートな磁極ピッチの場合には、斜線部分が、トラッキングコイル６に対して矢印の方向に悪影響を及ぼす。磁極の特別な設計によって、このことが回避できる。図７に示すように、上部及び下部のみが、フォーカシングコイル５に関係するという事実も考慮すると、傾斜した磁極ピッチは、フォーカシング制御の感度ロスの原因とならない。
【００１５】
説明のため、図９は、前面図（図９ａ）、平面図（図９ｂ）及び斜視図（図９ｃ）の形でマグネット４の概略的な図を示す。反対の磁化を有して相互に隣接する磁極は、この場合、陰影で強調されている。この陰影は、マグネット４が別々のパーツからなることを示しているわけではない。
【００１６】
従来技術によるアクチュエータは、図１０に示される。ここでは、２個のフォーカシングコイル５及び２個のトラッキングコイル６と相互に作用する８個の磁極のマグネット４を使用する。図に示すように、プリントコイルに使用可能なエリアが完全に利用されていない。さらに、ストレートな磁極ピッチが、トラッキングコイル６へ悪影響を及ぼす原因となる。全体として、これによりアクチュエータ２の感度が低減されてしまう。
【図面の簡単な説明】
【００１７】
【図１】本発明によるアクチュエータを使用する光学記憶媒体のスキャナを示す。
【図２】カバーを取り外した後の図１のスキャナを示す。
【図３】図２の光スキャナのさらなる図を示す。
【図４】マグネットなしの本発明によるアクチュエータを示す。
【図５】マグネットを備える本発明によるアクチュエータを示す。
【図６】マグネットを備えるアクチュエータの分解図を示す。
【図７】プリントコイルのトラッキング制御及びフォーカシング制御に関連する部分を示す。
【図８】傾斜した磁極ピッチに関する概略的な説明図を示す。
【図９】磁極の概略図を示す。
【図１０】従来技術によるマグネットを備えるアクチュエータの分解図を示す。
【符号の説明】
【００１８】
１  スキャナ
２  アクチュエータ
３  レンズホルダ
４  マグネット
５  フォーカシングコイル
６  トラッキングコイル
７  対物レンズ
８  カバー
【図１】
2008523532.tif 000003
【図２】
2008523532.tif 000004
【図３】
2008523532.tif 000005
【図４】
2008523532.tif 000006
【図５】
2008523532.tif 000007
【図６】
2008523532.tif 000008
【図７】
2008523532.tif 000009
【図８】
2008523532.tif 000010
【図９】
2008523532.tif 000011
【図１０】
2008523532.tif 000012
【国際調査報告】
2008523532.tif 000013
2008523532.tif 000014
2008523532.tif 000015